(57)【要約】【課題】ユーザの好みに応じた装飾を特別な技術等を必要とすることなく容易に行うことを可能とするとともに、図柄内容の変更を容易に行うことを可能とする。【解決手段】装飾パネル２０は、前フレーム３０と本体液晶部１０とに挟まれるようにして固定されている。本体液晶部１０のビス穴に設けられているビス６０をドライバ等により回転させて取り外すことにより前フレーム３０を本体液晶部１０外すことができる。すると、装飾パネル２０は、前フレーム３０と本体液晶部１０とに挟まれて固定されているだけであったため、装飾パネル２０自体を取り外すことが可能となる。そして、取り外した装飾パネル２０の代わりに、他の図柄の装飾パネルを用いて再度組み立てを行えば、異なる図柄の装飾パネルへの交換を容易に行うことができる。【選択図】図５
0003171965.tif 000002
【実用新案登録請求の範囲】
【請求項１】
画像を表示するための液晶ディスプレイを有する本体液晶部と、
前記本体液晶部の液晶ディスプレイの部分に対応する箇所に開口部を有する前フレームと、
前記本体液晶部の液晶ディスプレイの部分に対応する箇所に開口部を有するとともに図柄を印刷可能な印刷可能領域を少なくとも１つ備え、前記前フレームと前記本体液晶部とに挟まれるようにして固定される装飾パネルと、
前記装飾パネルを挟み込むようにして前記前フレームを前記本体液晶部に脱着可能に固定する固定機構と、
を備えた画像表示装置。
【請求項２】
前記装飾パネルの印刷可能領域には、図柄がＵＶインクにより印刷されていることを特徴とする請求項１記載の画像表示装置。
【請求項３】
前記本体液晶部は、
外部から供給された画像データを格納する格納手段と、
前記格納手段に格納された画像データを前記液晶ディスプレイに表示させる制御手段とを備えた請求項１または２記載の画像表示装置。
【請求項４】
前記装飾パネルは、開口部の左右方向にそれぞれ印刷可能領域を備えた請求項１から３のいずれか１項記載の画像表示装置。
【請求項５】
前記装飾パネルは、開口部の上方向に印刷可能領域を備えた請求項１から３のいずれか１項記載の画像表示装置。
【請求項６】
前記装飾パネルは、印刷可能領域に印刷された図柄に合わせた形状を有する請求項１から５のいずれか１項記載の画像表示装置。
【考案の詳細な説明】
【技術分野】
【０００１】
本考案は、デジタルフォトフレーム装置、液晶モニタ、または液晶テレビジョン受信機等の静止画像または動画像を表示するための画像表示装置に関する。
【背景技術】
【０００２】
近年、デジタルカメラの急速な普及により撮影した画像データをそのまま表示させてフォトフレームのようにして使用することができるデジタルフォトフレーム装置が普及していきている（例えば、特許文献１〜３）。
【０００３】
現状流通しているデジタルフォトフレーム装置、液晶モニタ、液晶デジタルテレビ（以下、デジタルフォトフレーム装置等と称する。）は、映像・画像を映し出す液晶モニタ画面とそれをカバーする本体ボディ部分により構成されているが、その本体ボディ部分に関しては単一色で一般的な形状に形成されている場合がほとんどである。そのため、近年、デジタルフォトフレーム装置等に対して、液晶部分に映る画像や映像だけを楽しむのではなく、それを取り巻きカバーする本体ボディ部分も各ユーザの好みに合わせて着色や装飾をしたり、形状を自由にカスタマイズしたいという要望がある。
【０００４】
このような要望を実現しようとして、デジタルフォトフレーム装置等の本体ボディ部分の配色に関しては白・黒・赤・茶・シルバー等のカラー色豊かなラインナップで販売されてきつつあるが数多くのカラーバリエーションを取りそろえる事は製造面とコスト面から不効率且つ不経済であり現実的には不可能である。また、キャラクター・イラスト・写真画像等によりデジタルフォトフレーム装置等を装飾しようとしても、本体ボディ部分は液晶ディスプレイ以外の領域がほとんど存在しないため、本体ボディ部分のごく限られた一部分にしか装飾することができないという問題もある。
【先行技術文献】
【特許文献】
【０００５】
【特許文献１】特開２０１０−１８３１５９号公報
【特許文献２】特開２０１１−２４１２２号公報
【特許文献３】特開２０１１−３９３３４号公報
【考案の概要】
【考案が解決しようとする課題】
【０００６】
このような状況で各ユーザがデジタルフォトフレーム装置等を個人的に装飾する方法として、（１）一般販売されているプリントされたシール及びステッカーにて装飾する、（２）家庭用インクジェットプリンタに対応したシール状の粘着シートを使用してオリジナルでシールを制作して装飾する、という２つの方法が考えられるが、どちらの方法も既存の商品形状のごく限られた領域にだけその装飾を行う物であり非常に限りがある。
【０００７】
まず、上記の（１）一般販売されているプリントされたシール及びステッカーにて装飾する方法では、あくまでも一般販売されている既製品のシールの中から好みのシール又はステッカーを選択購入して装飾することしができない。
【０００８】
また、上記の（２）家庭用インクジェットプリンタに対応したシール状の粘着シートを使用する方法では、キャラクター・イラスト・写真・画像等を印刷したいデジタルフォトフレーム装置等の本体ボディ部分の画像をスキャナ等で読み取り、その後専用の画像修整ソフト等で装飾対象本体部分の位置やサイズを表示させ、尚且つ表現したいキラクター・
イラスト・写真画像等のデータと、装飾対象本体ボディ部分の画像とマッチングさせた後に、市販されているシール状の粘着シート上に家庭用インクジェットプリンタ等で印刷する必要がある。そして、印刷された粘着シートを、デジタルフォトフレーム装置等の本体ボディ部分の各部品の形にそれぞれカットし、カットした粘着シートを本体ボディ部分の各部品に貼りつけて完成させるという膨大な手間が必要となる。
【０００９】
さらに、上記の（１）および（２）の両方の方法では、シール状の粘着シートをデジタルフォトフレーム装置等の本体ボディ部分に対して貼りつけることにより装飾が行われるため、時間経過に伴い徐々に粘着シートの断面より剥がれが生じて見栄えが悪くなるという問題も発生する。さらに経年変化により粘着シール及びシートの剥がれが発生した際、そのシール及びシートに使用されている粘着剤がデジタルフォトフレーム装置等の本体ボディ部分に残り非常に美観に耐えがたい状況となるという問題も発生する。さらに、一旦ある図柄で装飾を行った後に、他の図柄に変更しようとした場合、シール状の粘着シートを剥がすという手間が発生するという問題がある。
【００１０】
上記事情に鑑み、本考案は、ユーザの好みに応じた装飾を特別な技術等を必要とすることなく容易に行うことが可能であるとともに、図柄内容の変更を容易に行うことが可能な画像表示装置を提供することを目的とする。
【課題を解決するための手段】
【００１１】
本考案の画像表示装置は、画像を表示するための液晶ディスプレイを有する本体液晶部と、
前記本体液晶部の液晶ディスプレイの部分に対応する箇所に開口部を有する前フレームと、
前記本体液晶部の液晶ディスプレイの部分に対応する箇所に開口部を有するとともに図柄を印刷可能な印刷可能領域を少なくとも１つ備え、前記前フレームと前記本体液晶部とに挟まれるようにして固定される装飾パネルと、
前記装飾パネルを挟み込むようにして前記前フレームを前記本体液晶部に脱着可能に固定する固定機構とを備えている。
【００１２】
本考案によれば、装飾パネルが前フレームと液晶本体部とに挟む込まれることにより固定されているので、前フレームを本体液晶部から外すことにより装飾パネルを取り外すことができ、取り外した装飾パネルを他の図柄の装飾パネルに交換することが容易に可能となる。  そして、装飾パネルには、図柄を印刷可能な印刷可能領域が備えられているため、ユーザは好みの図柄を装飾パネルに印刷したり、好みの図柄が印刷された装飾パネルのみを購入して装飾パネルの交換するようなことが可能となる。
【００１３】
また、本考案の画像表示装置は、前記装飾パネルの印刷可能領域に図柄がＵＶインクにより印刷されていることを特徴とするようにしても良い。
【００１４】
また、本考案の画像表示装置は、前記本体液晶部が、外部から供給された画像データを格納する格納手段と、
前記格納手段に格納された画像データを前記液晶ディスプレイに表示させる制御手段とを備えるようにしても良い。
【００１５】
また、本考案の画像表示装置は、前記装飾パネルが、開口部の左右方向にそれぞれ印刷可能領域を備えるようにしても良い。
【００１６】
また、本考案の画像表示装置は、前記装飾パネルが、開口部の上方向に印刷可能領域を備えるようにしても良い。
【００１７】
さらに、本考案の画像表示装置は、前記装飾パネルが、印刷可能領域に印刷された図柄に合わせた形状を有するようにしても良い。
【考案の効果】
【００１８】
本考案によれば、ユーザの好みに応じた装飾を特別な技術等を必要とすることなく容易に行うことが可能となるとともに、図柄内容の変更を容易に行うことが可能になるという効果を得ることができる。
【図面の簡単な説明】
【００１９】
【図１】本考案の一実施形態の液晶表示装置を正面から見た斜視図である。
【図２】本考案の一実施形態の液晶表示装置を背面から見た斜視図である。
【図３】本考案の一実施形態の液晶表示装置の機能構成を示すブロック図である。
【図４】装飾パネル２０に設けられた印刷可能領域２１、２２を説明するための図である。
【図５】装飾パネル２０を交換する際の手順を示す斜視図である。
【図６】装飾パネル２０を交換する際の手順を示す背面斜視図である。
【図７】装飾パネル２０を装飾パネル２０ａに交換した後の液晶表示装置の外観を示す斜視図である。
【図８】装飾パネル２０を装飾パネル２０ｂに交換した後の液晶表示装置の外観を示す斜視図である。
【図９】装飾パネル２０を装飾パネル２０ｃに交換した後の液晶表示装置の外観を示す斜視図である。
【図１０】装飾パネル２０を装飾パネル２０ｄに交換した後の液晶表示装置の外観を示す斜視図である。
【考案を実施するための形態】
【００２０】
次に、本考案の実地形態に係る画像表示装置を図面に基づいて説明する。
図１は本実施形態の画像表示装置の正面から見た斜視図であり、図２は背面から見た斜視図である。
【００２１】
本実施形態の画像表示装置は、図１、図２に示されるように、本体液晶部１０と、装飾パネル２０と、前フレーム３０とから構成されている。また、本体液晶部１０には、図２に示されるように、スタンド４０がスクリューノブ７０により固定されている。また、本体液晶部１０には、壁掛穴５０が設けられている。
【００２２】
本実施形態の画像表示装置は、スタンド４０をスクリューノブ７０により固定して平らな台上に置くようにして使用してもよいし、スタンド４０をはずして、壁掛穴５０を用いて壁に掛けるようにして使用するようにすることも可能である。
【００２３】
本実施形態の画像表示装置は、デジタルカメラ等により撮影された画像データを保存したＵＳＢメモリ等の記憶媒体を接続することで画像データを表示可能とするいわゆるデジタルフォトフレーム装置に本考案を適用したものである。
【００２４】
次に、本実施形態の画像表示装置の機能構成を、図３のブロック図を参照して説明する。
本実施形態の画像表示装置は、図３に示されるように、入力端子１１と、画像データ入力部１２と、制御部１３と、外部から供給された画像データを格納する画像データ格納部１４と、画像を表示するための液晶ディスプレイ１５とを有している。
【００２５】
画像データ入力部１２は、例えばＵＳＢ端子等の入力端子１１に接続されたＵＳＢメモリ等の記録媒体から画像データを入力する。
【００２６】
制御部１３は、画像データ入力部１２を介して入力された画像データを画像データ格納部１４に格納する。そして、制御部１３は、画像データ格納部１４に格納された画像データのうち、指定された画像データを液晶ディスプレイ１５に表示させる。
【００２７】
次に、図１、２に示した装飾パネル２０の構成を図４を参照して説明する。
【００２８】
図４に示されるように、装飾パネル２０には、図柄を印刷可能な２つの印刷可能領域２１、２２が前フレーム３０の左右にそれぞれも受けられている。
【００２９】
図４には示されていないが、この装飾パネル２０の印刷可能領域２１、２２には、それぞれ、キャラクター、イタスト、写真画像等の連続した図柄がＵＶインク（紫外線硬化型インク）により印刷されている。
【００３０】
次に、この装飾パネル２０を交換する際の手順を図５、図６を参照して説明する。図５は、装飾パネル２０を交換する際の手順を正面から説明するための斜視図であり、図６は、装飾パネル２０を交換する際の手順を背面から説明するための斜視図である。
【００３１】
図５、図６に示すように、装飾パネル２０は、前フレーム３０と本体液晶部１０とに挟まれるようにして固定されている。そして、装飾パネル２０は、本体液晶部１０の液晶ディスプレイの部分に対応する箇所に開口部を有する。また、前フレーム３０も、本体液晶部１０の液晶ディスプレイの部分に対応する箇所に開口部を有する。
【００３２】
そして、前フレーム３０には４つのビス受け部が設けられており、前フレーム３０と本体液晶部１０とは４つのビス６０とにより固定される構成となっている。つまり、前フレーム３０に設けられたビス受け部と４つのネジ６０により、装飾パネル２０を挟み込むようにして前フレーム３０を本体液晶部１０に脱着可能に固定する固定機構が構成されている。
【００３３】
図５、図６に示すように、本体液晶部１０のビス穴に設けられているビス６０をドライバ等により回転させて取り外すことにより前フレーム３０を本体液晶部１０外すことができる。すると、装飾パネル２０は、前フレーム３０と本体液晶部１０とに挟まれて固定されているだけであったため、装飾パネル２０自体を取り外すことが可能となる。
【００３４】
そして、取り外した装飾パネル２０の代わりに、他の図柄の装飾パネルを用いて再度組み立てを行えば、異なる図柄の装飾パネルへの交換を容易に行うことができる。
【００３５】
なお、本実施形態では、開口部の左右方向にそれぞれ印刷可能領域２１、２２を備えた装飾パネル２０を用いて説明しているが、装飾パネルには少なくとも１つの印刷可能領域を備えていれば良く、図７、図８に示すように、開口部の左右のいずれかにのみ印刷可能領域が備えられた装飾パネル２０ａ、２０ｂを用いるようにしてもよい。
【００３６】
また、図９に示すように、開口部の上方向に印刷可能領域を備えた装飾パネル２０ｃを用いるようにすることも可能である。
【００３７】
さらに、装飾パネル２０は、本体液晶部１０と前フレーム３０とに挟まれる部分以外の形状は任意の形状とすることができる。そのため、装飾パネルの形状は長方形である必要はなく、図１０に示すように、印刷可能領域に印刷された図柄に合わせた形状を有するよ
うな装飾パネル２０ｄを用いるようにすることも可能である。このように装飾パネルの外形形状を自由なものとすることにより様々な図柄と組み合わせてユーザの好みにあった多様な装飾パネルを製作することが可能となる。
【００３８】
本実施形態の画像表示装置では、装飾パネル２０の印刷可能領域２１、２２にキャラクター、イラスト、写真画像等の連続した図柄を印刷することが可能であるため、シール状の粘着シート等を使用した場合と比較して、カラー色のキャラクター・イラスト・写真画像等の連続した図柄を、必要なデザインで必要な台数だけ優れた美観で少ない手間で簡便に表現することが可能となる。
【００３９】
また、その印刷可能領域２１、２２を有する装飾パネル２０を容易に取り外し可能な構成としているため、別の形状の装飾パネル、印刷可能領域に別の図柄が印刷された装飾パネルと交換することが可能となる。その結果として、ユーザの気分や液晶パネルに表示する画像内容に合わせたキャラクター、イラスト、写真画像等の図柄により装飾された画像表示装置を実現することができる。
【００４０】
なお、印刷可能領域２１、２２に図柄を印刷する場合、ＵＶインクを用いたＵＶインクジェット印刷により図柄を印刷することが好ましい。この理由を下記に説明する。
【００４１】
近年急速に技術の進歩、発展をなした他の印刷方法として昇華転写方式や熱転写方式があるが昇華転写方式に関しては既存プリンタでは装飾パネル２０の厚みが問題となる可能性がある。また、昇華転写方式では精度の面が問題となる可能性がある。そして、熱転写方式では、転写シートまたはフィルムを利用し熱を加えることによって画像を印刷対象の物へ転写させているため、樹脂材料により構成されることが多い装飾パネル２０に対して転写の際の熱により形状変化等を引き起こす危険性が多大に有る。そのため、熱転写方式の印刷方法は、現状では熱があまり問題とならないシャツ等の布媒体に画像を転写する事を目的として利用されているケースがほとんどである。
【００４２】
このような理由により、本実施形態では、ＵＶインクジェット印刷により、キャラクター・イラスト・写真画像等の連続した図柄を装飾パネル２０の印刷可能領域２１、２２に印刷するようにしている。
【００４３】
そして、ＵＶインクジェットプリンタを用いたＵＶインクジェット印刷により装飾パネル２０の印刷可能領域２１、２２上に、カラフルな色や、カラー色でキャラクター・イラスト・写真画像等のデザインを印刷することにより、手軽に必要な台数の画像表示装置を製作することができる。そして、カラフルな色や、カラー色でキャラクター・イラスト・写真画像等で装飾された画像表示装置を希望するユーザにとっては、シール状の粘着シートや画像修整ソフトや機材を購入する必要がないため、無駄な出費と手間を抑える事ができる。
【００４４】
また、本実施形態では、ＵＶインクジェット印刷により直接、装飾パネル２０の印刷可能領域２１、２２上に図柄を印刷していて、シール状の粘着シート等を使用しないため、貼りつけたシール状の粘着シートが徐々にシートの断面より剥がれたり、ずれて斜めになったりして見栄えが悪くなるような問題は発生せず、美観に優れている。
【００４５】
このように、本実施形態によれば、装飾パネル２０の外形形状が自由となり、また装飾パネル２０を脱着を容易にして交換可能とすることにより、カラフルな色や、カラー色でキャラクター・イラスト・写真画像等のデザインの自由度が大きく、適宜デザインを変更することも容易にできることとなる。
【００４６】
［変形例］
上記実施形態では、デジタルフォトフレーム装置に対して本考案を適用した場合について説明したが、本考案はこれに限定されるものではなく、外部から入力された静止画像、動画像等の画像データを表示する液晶モニタ、デジタル放送電波を受信して画像を表示する液晶デジタルテレビ装置等の画像を表示させるような全ての画像表示装置に対しても同様に本考案を適用することができるものである。
【符号の説明】
【００４７】
１０    本体液晶部
１１    入力端子
１２    画像データ入力部
１３    制御部
１４    画像データ格納部
１５    液晶ディスプレイ
２０、２０ａ〜２０ｄ    装飾パネル
２１、２２    印刷可能領域
３０    前フレーム
４０    スタンド
５０    壁掛穴
６０    ビス
７０    スクリューノブ
【図１】
0003171965.tif 000003
【図２】
0003171965.tif 000004
【図３】
0003171965.tif 000005
【図４】
0003171965.tif 000006
【図５】
0003171965.tif 000007
【図６】
0003171965.tif 000008
【図７】
0003171965.tif 000009
【図８】
0003171965.tif 000010
【図９】
0003171965.tif 000011
【図１０】
0003171965.tif 000012